(57)【要約】【課題】  光ディスクに記録された情報データの再生時に、光ピックアップの周囲温度に応じてＲＦ増幅回路のイコライザ特性を変更し、光ディスクに記録された情報データを安定して再生することができるようにする。【解決手段】  光ディスクの再生開始時に、光ピックアップの周囲温度に対して予め設定された複数のイコライザの調整値の中から光ディスクの再生開始時の光ピックアップの周囲温度に対応するイコライザの調整値を読み出して、ＲＦ増幅回路のイコライザの調整値を設定し、光ディスクの再生中に、光ピックアップの周囲温度に対して予め設定された複数のイコライザの調整値の中から光ディスクの再生中の光ピックアップの周囲温度に対応するイコライザの調整値を読み出して、ＲＦ増幅回路のイコライザの調整値を変更するようにする。【選択図】        図１
2006114129.tif 000002
【特許請求の範囲】
【請求項１】
光ディスクに記録された情報データを再生するディスク装置であって、
光ピックアップの周囲温度が低温、常温、高温である場合のそれぞれの温度に対して予め設定された複数のイコライザの調整値が格納された記憶手段と、光ピックアップの周囲温度を検出する検出手段と、光ディスクの再生開始時に、前記記憶手段に格納された複数のイコライザの調整値の中から前記検出手段により検出された光ピックアップの周囲温度に対応するイコライザの調整値を読み出して、ＲＦ増幅回路のイコライザの調整値を設定する設定手段と、光ディスクの再生中に、前記記憶手段に格納された複数のイコライザの調整値の中から前記検出手段により検出された光ピックアップの周囲温度に対応するイコライザの調整値を読み出して、ＲＦ増幅回路のイコライザの調整値を変更する変更手段とを備えたことを特徴とするディスク装置。
【請求項２】
光ディスクに記録された情報データを再生するディスク装置であって、
光ピックアップの周囲温度に対して予め設定された複数のイコライザの調整値が格納された記憶手段と、光ピックアップの周囲温度を検出する検出手段と、光ディスクの再生開始時に、前記記憶手段に格納された複数のイコライザの調整値の中から前記検出手段により検出された光ピックアップの周囲温度に対応するイコライザの調整値を読み出して、ＲＦ増幅回路のイコライザの調整値を設定する設定手段と、光ディスクの再生中に、前記記憶手段に格納された複数のイコライザの調整値の中から前記検出手段により検出された光ピックアップの周囲温度に対応するイコライザの調整値を読み出して、ＲＦ増幅回路のイコライザの調整値を変更する変更手段とを備えたことを特徴とするディスク装置。
【請求項３】
前記記憶手段は、光ピックアップの周囲温度が低温、常温、高温である場合のそれぞれの温度に対して予め設定された複数のイコライザの調整値が格納された記憶手段であることを特徴とする請求項２記載のディスク装置。
【請求項４】
光ディスクに記録された情報データを再生するディスク装置の制御方法であって、
光ディスクの再生開始時に、光ピックアップの周囲温度を検出するステップと、光ディスクの再生開始時に、光ピックアップの周囲温度に対して予め設定された複数のイコライザの調整値の中から光ディスクの再生開始時の光ピックアップの周囲温度に対応するイコライザの調整値を読み出して、ＲＦ増幅回路のイコライザの調整値を設定するステップと、光ディスクの再生中に、光ピックアップの周囲温度を検出するステップと、光ディスクの再生中に、光ピックアップの周囲温度に対して予め設定された複数のイコライザの調整値の中から光ディスクの再生中の光ピックアップの周囲温度に対応するイコライザの調整値を読み出して、ＲＦ増幅回路のイコライザの調整値を変更するステップとを備えたことを特徴とするディスク装置の制御方法。
【発明の詳細な説明】
【技術分野】
【０００１】
本発明は、光ディスクに記録された情報データを再生するディスク装置に係り、特にディスク装置の光ピックアップの周囲温度に応じてＲＦ増幅回路のイコライザの調整値を変更して、光ディスクに記録された情報データを安定して再生することができるディスク装置及びその制御方法に関する。
【背景技術】
【０００２】
一般に、ディスク装置により光ディスクを長時間連続して再生していると、光ディスクに記録された情報データを読み出す光ピックアップのレーザダイオードによるレーザ光の照射によりディスク装置の光ピックアップの周囲温度が上昇してかなりの高温になり、光ディスクから読み出された情報データのＲＦ信号を増幅するＲＦ増幅回路のイコライザ特性が変化して、光ディスクに記録された情報データの読み取り性能が劣化するという問題点があった。
背景技術としては、レーザダイオードから出射されるレーザ光の放射パワーを検出し、レーザダイオードの周囲温度を検出して、最適記録パワー値を検出したときの最適記録パワー値と検出対象の光ディスクの識別コードとを対応させ、検出されたレーザダイオードの周囲温度とを比較してレーザダイオードの記録パワーを設定するようにしたものがあった（例えば、特許文献１参照）。
また、光ピックアップ周辺の温度を検出し、検出された温度に応じたレーザパワー及びゲインをテーブルに記録された取得して、レーザパワーを設定するとともに、トラッキングアクチュエータ、フォーカスアクチュエータのゲインに付加するようにしたものがあった（例えば、特許文献２参照）。
また、光磁気ディスクにデータを記録するとき、温度測定装置により測定された外部装置検出温度に基づいて光磁気ディスクにデータを記録するレーザ光の強度のオフセットの補正を行うようにしたものがあった（例えば、特許文献３参照）。
【特許文献１】特開平５−１４４０６１号公報
【特許文献２】特開２００１−２３６６４９号公報
【特許文献３】特開２００１−５９７７６号公報
【発明の開示】
【発明が解決しようとする課題】
【０００３】
しかしながら、背景技術で述べたもののうち最初のものにおいては、レーザダイオードから出射されるレーザ光の放射パワーを検出し、レーザダイオードの周囲温度を検出して、最適記録パワー値を検出したときの最適記録パワー値と検出対象の光ディスクの識別コードとを対応させ、検出されたレーザダイオードの周囲温度とを比較してレーザダイオードの記録パワーを設定することができたが、光ピックアップの周囲温度の影響によりＲＦ増幅回路のイコライザ特性が変化して、光ディスクに記録された情報データの読み取り性能が劣化するという上記問題点を解決するようにしたものではなかった。
また、次のものにおいては、光ピックアップ周辺の温度を検出し、検出された温度に応じたレーザパワー及びゲインをテーブルに記録された取得して、レーザパワーを設定するとともに、トラッキングアクチュエータ、フォーカスアクチュエータのゲインに付加することができたが、上記同様、光ピックアップの周囲温度の影響によりＲＦ増幅回路のイコライザ特性が変化して、光ディスクに記録された情報データの読み取り性能が劣化するという上記問題点を解決するようにしたものではなかった。
また、更にその次のものにおいては、光磁気ディスクにデータを記録するとき、温度測定装置により測定された外部装置検出温度に基づいて光磁気ディスクにデータを記録するレーザ光の強度のオフセットの補正を行うことができたが、上記同様、光ピックアップの周囲温度の影響によりＲＦ増幅回路のイコライザ特性が変化して、光ディスクに記録された情報データの読み取り性能が劣化するという上記問題点を解決するようにしたものではなかった。
本発明は、背景技術の有するこのような問題点に鑑みてなされたものであり、その目的とするところは、光ディスクに記録された情報データの再生時に、光ピックアップの周囲温度に応じてＲＦ増幅回路のイコライザ特性を変更し、光ディスクに記録された情報データを安定して再生することができるディスク装置及びその制御方法を提供しようとするものである。
【課題を解決するための手段】
【０００４】
上記目的を達成するため本発明においては、光ディスクに記録された情報データを再生するディスク装置であって、光ピックアップの周囲温度に対して予め設定された複数のイコライザの調整値が格納された記憶手段と、光ピックアップの周囲温度を検出する検出手段と、光ディスクの再生開始時に、前記記憶手段に格納された複数のイコライザの調整値の中から前記検出手段により検出された光ピックアップの周囲温度に対応するイコライザの調整値を読み出して、ＲＦ増幅回路のイコライザの調整値を設定する設定手段と、光ディスクの再生中に、前記記憶手段に格納された複数のイコライザの調整値の中から前記検出手段により検出された光ピックアップの周囲温度に対応するイコライザの調整値を読み出して、ＲＦ増幅回路のイコライザの調整値を変更する変更手段とを備える。
前記記憶手段は、光ピックアップの周囲温度が低温、常温、高温である場合のそれぞれの温度に対して予め設定された複数のイコライザの調整値を格納するようにするとよい。
これらの手段により、光ディスクに記録された情報データの再生時に、光ピックアップの周囲温度に応じてＲＦ増幅回路のイコライザ特性を変更し、光ディスクに記録された情報データを安定して再生することができる。
【発明の効果】
【０００５】
請求項１記載の発明に係るディスク装置によれば、光ディスクの再生開始時に、光ピックアップの周囲温度が低温、常温、高温である場合のそれぞれの温度に対して予め設定された複数のイコライザの調整値の中から光ディスクの再生開始時の光ピックアップの周囲温度に対応するイコライザの調整値を読み出して、ＲＦ増幅回路のイコライザの調整値を設定し、光ディスクの再生中に、光ピックアップの周囲温度が低温、常温、高温である場合のそれぞれの温度に対して予め設定された複数のイコライザの調整値の中から光ディスクの再生中の光ピックアップの周囲温度に対応するイコライザの調整値を読み出して、ＲＦ増幅回路のイコライザの調整値を変更するようにしているので、光ディスクに記録された情報データの再生時に、低温、常温、高温である場合のそれぞれの温度に対するＲＦ増幅回路のイコライザ特性を変更して、光ディスクに記録された情報データを安定して再生することができる。
請求項２記載の発明に係るディスク装置によれば、光ディスクの再生開始時に、光ピックアップの周囲温度に対して予め設定された複数のイコライザの調整値の中から光ディスクの再生開始時の光ピックアップの周囲温度に対応するイコライザの調整値を読み出して、ＲＦ増幅回路のイコライザの調整値を設定し、光ディスクの再生中に、光ピックアップの周囲温度に対して予め設定された複数のイコライザの調整値の中から光ディスクの再生中の光ピックアップの周囲温度に対応するイコライザの調整値を読み出して、ＲＦ増幅回路のイコライザの調整値を変更するようにしているので、光ディスクに記録された情報データの再生時に、予め設定された複数のイコライザの調整値の中から光ピックアップの周囲温度に対応するＲＦ増幅回路のイコライザ特性を変更して、光ディスクに記録された情報データを安定して再生することができる。
請求項３記載の発明に係るディスク装置によれば、光ピックアップの周囲温度が低温、常温、高温である場合のそれぞれの温度に対して予め設定された複数のイコライザの調整値を格納するようにしているので、低温、常温、高温である場合のそれぞれの温度に対するＲＦ増幅回路のイコライザ特性を変更することができる。
請求項４記載の発明に係るディスク装置の制御方法によれば、光ディスクの再生開始時に、光ピックアップの周囲温度を検出して、光ディスクの再生開始時に、光ピックアップの周囲温度に対して予め設定された複数のイコライザの調整値の中から光ディスクの再生開始時の光ピックアップの周囲温度に対応するイコライザの調整値を読み出して、ＲＦ増幅回路のイコライザの調整値を設定し、光ディスクの再生中に、光ピックアップの周囲温度を検出して、光ディスクの再生中に、光ピックアップの周囲温度に対して予め設定された複数のイコライザの調整値の中から光ディスクの再生中の光ピックアップの周囲温度に対応するイコライザの調整値を読み出して、ＲＦ増幅回路のイコライザの調整値を変更するようにしているので、光ディスクに記録された情報データの再生時に、予め設定された複数のイコライザの調整値の中から光ピックアップの周囲温度に対応するＲＦ増幅回路のイコライザ特性を変更して、光ディスクに記録された情報データを安定して再生することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の光ピックアップの周囲温度に対するイコライザの調整値の一例を示す説明図であり、図３は本発明の一実施例のディスク装置の動作を示すフローチャートである。
まず、図１の本発明の一実施例のディスク装置の構成を示すブロック図を基に説明する。
ディスク装置１は、光ディスク２にレーザ光を照射し、その反射光を検出して光ディスク２に記録された情報データを読み出す光ピックアップ３と、光ディスク２を回転させるスピンドルモータ４と、スピンドルモータ４を駆動して光ディスク２の回転速度を所定の回転速度にサーボ制御するスピンドルサーボ回路５と、光ピックアップ３を光ディスク２の半径方向に移動させるスレッドモータ６と、スレッドモータ６の回転方向と回転速度とをサーボ制御するスレッドサーボ回路７と、光ピックアップ３の周囲温度を検出するサーミスタ８と、光ピックアップ３により検出されたトラッキング誤差信号に基づいて光ピックアップ３のトラッキングをサーボ制御するトラッキングサーボ回路９と、光ピックアップ３により検出されたフォーカス誤差信号に基づいて光ピックアップ３のフォーカッシングをサーボ制御するフォーカスサーボ回路１０と、光ピックアップ３により読み出されたＲＦ信号を増幅するＲＦ増幅回路１１と、ＲＦ増幅回路により増幅されたＲＦ信号を基準クロックに基づいて同期検出し、アナログ信号のＲＦ信号をデジタル信号に変換する同期検出／ＡＤ変換回路１２と、デジタル信号に変換されたＲＦ信号から情報データを復調し、復調された情報データの誤りを訂正する復調／誤り訂正回路１３と、所定の圧縮方式に基づいて圧縮された情報データを伸張し、元の情報データに復号するデコーダ１４と、復号された情報データを所定の信号方式に従ったコンポジット信号の映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化し、符号化された映像音声信号をアナログ信号の映像音声信号に変換するエンコーダ／ＤＡ変換回路１５と、文字情報信号を映像信号に重畳して、文字情報をモニタ装置４０の画面に表示するＯＳＤ（Ｏｎ−Ｓｃｒｅｅｎ  Ｃｈａｒａｃｔｅｒ  Ｄｉｓｐｌａｙ）回路１６と、サーミスタ８により検出された光ピックアップ３の周囲温度のアナログ信号をデジタル信号に変換するＡＤ変換回路１７と、ディスク装置１のシステム全体を制御するマイコン１８と、光ピックアップ３の周囲温度に対して予め設定された複数のイコライザの調整値が格納されたＲＯＭ１９と、マイコン１８が各種演算を実行した際に各種演算データを記憶するＲＡＭ２０と、リモコン装置３０から送信された赤外線信号のリモコン信号を受信して、所定の電気信号に変換するリモコン受信部２１とで構成されている。なお、ＲＯＭ１９には、図２に示すように、光ピックアップ３の周囲温度に対して予め設定されたイコライザの群遅延、カットオフ周波数、ブースト量の調整値が格納されていて、イコライザの群遅延の調整値は、例えば、０℃〜５０℃の常温時の調整値を基準として、０℃以下の低温時−１０％、５０℃以上の高温時＋１０％にそれぞれ予め設定された調整値が格納され、イコライザのカットオフ周波数は、例えば、常温時の調整値を基準として、低温時−１０％、高温時＋１０％にそれぞれ予め設定された調整値が格納され、イコライザのブースト量は、例えば、常温時の調整値を基準として、低温時＋２ｄＢ、高温時−２ｄＢにそれぞれ予め設定された調整値が格納されている。
以上のように構成されたディスク装置について、以下その動作について説明する。
リモコン装置３０の操作キー（図示せず）の操作によりディスク装置１に装着された光ディスク２の再生が指令されると、マイコン１８は、サーミスタ８により光ピックアップ３の周囲温度を検出する。
サーミスタ８により検出された光ピックアップ３の周囲温度が低温である場合、マイコン１８は、ＲＯＭ１９に格納されている光ピックアップの周囲温度に対して予め設定された複数のイコライザの調整値の中から低温に対応するイコライザの調整値を読み出して、ＲＦ増幅回路１１のイコライザの調整値を低温時の調整値に設定する（図２参照）。
また、サーミスタ８により検出された光ピックアップ３の周囲温度が常温である場合、マイコン１８は、ＲＯＭ１９に格納されている光ピックアップの周囲温度に対して予め設定された複数のイコライザの調整値の中から常温に対応するイコライザの調整値を読み出して、ＲＦ増幅回路１１のイコライザの調整値を常温時の調整値に設定する（図２参照）。
また、サーミスタ８により検出された光ピックアップ３の周囲温度が高温である場合、マイコン１８は、ＲＯＭ１９に格納されている光ピックアップの周囲温度に対して予め設定された複数のイコライザの調整値の中から高温に対応するイコライザの調整値を読み出して、ＲＦ増幅回路１１のイコライザの調整値を高温時の調整値に設定する（図２参照）。
ＲＦ増幅回路１１のイコライザの調整値を設定すると、マイコン１８は、スピンドルサーボ回路５に制御信号を送出して、光ディスク２を所定の回転速度で回転させ、スレッドサーボ回路７に制御信号を送出して、光ピックアップ３を光ディスク２の所定のアドレスにスレッド移動させ、トラッキングサーボ回路９とフォーカスサーボ回路１０とに制御信号を送出して、光ピックアップ３のトラッキングとフォーカシングとをサーボ制御して、光ディスク２に記録された情報データを再生する。
そして、マイコン１８は、サーミスタ８により検出された光ディスク２の再生中の光ピックアップ３の周囲温度を検出して、光ピックアップ３の周囲温度が低温である場合、ＲＯＭ１９に格納されている光ピックアップの周囲温度に対して予め設定された複数のイコライザの調整値の中から低温に対応するイコライザの調整値を読み出して、ＲＦ増幅回路１１のイコライザの調整値を低温時の調整値に変更し（図２参照）、光ディスク２の再生を続行する。
また、マイコン１８は、サーミスタ８により検出された光ディスク２の再生中の光ピックアップ３の周囲温度を検出して、光ピックアップ３の周囲温度が常温である場合、ＲＯＭ１９に格納されている光ピックアップの周囲温度に対して予め設定された複数のイコライザの調整値の中から常温に対応するイコライザの調整値を読み出して、ＲＦ増幅回路１１のイコライザの調整値が常温時の調整値に変更し（図２参照）、光ディスク２の再生を続行する。
また、マイコン１８は、サーミスタ８により検出された光ディスク２の再生中の光ピックアップ３の周囲温度を検出して、光ピックアップ３の周囲温度が高温にである場合、ＲＯＭ１９に格納されている光ピックアップの周囲温度に対して予め設定された複数のイコライザの調整値の中から高温に対応するイコライザの調整値を読み出して、ＲＦ増幅回路１１のイコライザの調整値を高温時の調整値に変更し（図２参照）、光ディスク２の再生を続行する。
そして、リモコン装置３０の操作キー（図示せず）の操作により光ディスク２の再生の停止が指令されると、スピンドルサーボ回路５、スレッドサーボ回路７、トラッキングサーボ回路９、フォーカスサーボ回路１０に制御信号を送出して、ディスク装置１に装着された光ディスク２の再生を停止する。
また、図３の本発明の一実施例のディスク装置の動作を示すフローチャートを基に説明する。
リモコン装置の操作キーの操作によりディスク装置に装着された光ディスクの再生が指令されると、ステップＳ１からステップＳ２に進み、ステップＳ２で、サーミスタにより光ピックアップの周囲温度が検出されて、ステップＳ３に進む。
ステップＳ３で、光ピックアップの周囲温度が低温であるか否かが判断され、光ピックアップの周囲温度が低温である場合、ステップＳ４に進み、光ピックアップの周囲温度が低温でない場合、ステップＳ５に進む。
ステップＳ４で、光ピックアップの周囲温度に対して予め設定された複数のイコライザの調整値の中から低温に対応するイコライザの調整値がＲＯＭから読み出されて、ＲＦ増幅回路のイコライザの調整値が低温時の調整値に設定され、ステップＳ５に進む。
ステップＳ５で、光ピックアップの周囲温度が常温であるか否かが判断され、光ピックアップの周囲温度が常温である場合、ステップＳ６に進み、光ピックアップの周囲温度が常温でない場合、ステップＳ７に進む。
ステップＳ６で、光ピックアップの周囲温度に対して予め設定された複数のイコライザの調整値の中から常温に対応するイコライザの調整値がＲＯＭから読み出されて、ＲＦ増幅回路１１のイコライザの調整値が常温時の調整値に設定され、ステップＳ７に進む。
ステップＳ７で、光ピックアップの周囲温度が高温であるか否かが判断され、光ピックアップの周囲温度が高温である場合、ステップＳ８に進み、光ピックアップの周囲温度が高温でない場合、ステップＳ９に進む。
ステップＳ８で、光ピックアップの周囲温度に対して予め設定された複数のイコライザの調整値の中から高温に対応するイコライザの調整値がＲＯＭから読み出されて、ＲＦ増幅回路のイコライザの調整値が高温時の調整値に設定され、ステップＳ９に進む。
ステップＳ９で、ディスク装置に装着された光ディスクが再生され、サーミスタにより再生中の光ピックアップの周囲温度が検出されて、ステップＳ１０に進む。
ステップＳ１０で、光ピックアップの周囲温度が低温であるか否かが判断され、光ピックアップの周囲温度が低温である場合、ステップＳ１１に進み、光ピックアップの周囲温度が低温でない場合、ステップＳ１２に進む。
ステップＳ１１で、光ピックアップの周囲温度に対して予め設定された複数のイコライザの調整値の中から低温に対応するイコライザの調整値がＲＯＭから読み出されて、ＲＦ増幅回路のイコライザの調整値が低温時の調整値に変更され、ステップＳ１２に進む。
ステップＳ１２で、光ピックアップの周囲温度が常温であるか否かが判断され、光ピックアップの周囲温度が常温である場合、ステップＳ１３に進み、光ピックアップの周囲温度が常温でない場合、ステップＳ１４に進む。
ステップＳ１３で、光ピックアップの周囲温度に対して予め設定された複数のイコライザの調整値の中から常温に対応するイコライザの調整値がＲＯＭから読み出されて、ＲＦ増幅回路１１のイコライザの調整値が常温時の調整値に変更され、ステップＳ１４に進む。
ステップＳ１４で、光ピックアップの周囲温度が高温であるか否かが判断され、光ピックアップの周囲温度が高温である場合、ステップＳ１５に進み、光ピックアップの周囲温度が高温でない場合、ステップＳ１６に進む。
ステップＳ１５で、光ピックアップの周囲温度に対して予め設定された複数のイコライザの調整値の中から高温に対応するイコライザの調整値がＲＯＭから読み出されて、ＲＦ増幅回路のイコライザの調整値が高温時の調整値に変更され、ステップＳ１６に進む。
ステップＳ１６で、リモコン装置の操作キーの操作により光ディスクの再生が停止されたか否かが判断され、光ディスクの再生が停止された場合、ステップＳ１７に進んで処理を終了し、光ディスクの再生が停止されていない場合、ステップＳ９に戻って、ステップＳ９からのステップを繰り返す。
以上、本発明を実施するための最良の形態について詳述したが、本発明はこれに限らず、当業者の通常の知識の範囲内でその変形や改良が可能である。例えば、光ピックアップの周囲温度が低温、常温、高温である場合のそれぞれに対応して予め設定された複数のイコライザの調整値の中から光ピックアップの周囲温度に対応したイコライザの設定値を読み出して、ＲＦ増幅回路のイコライザ特性を調整することを説明したが、光ピックアップの周囲温度を３段階以上、例えば５段階、或いは、それ以上に分けて、それぞれに対応して複数のイコライザの調整値を予め設定し、予め設定された複数のイコライザの調整値の中から光ピックアップの周囲温度に対応したイコライザの設定値を読み出して、ＲＦ増幅回路のイコライザを調整するようにしてもよい。
【図面の簡単な説明】
【０００７】
【図１】本発明の一実施例のディスク装置の構成を示すブロック図である。
【図２】本発明の一実施例のディスク装置の光ピックアップの周囲温度に対するイコライザの調整値の一例を示す説明図である。
【図３】本発明の一実施例のディスク装置の動作を示すフローチャートである。
【符号の説明】
【０００８】
１  ディスク装置
２  光ディスク
３  光ピックアップ
４  スピンドルモータ
５  スピンドルサーボ回路
６  スレッドモータ
７  スレッドサーボ回路
８  サーミスタ
９  トラッキングサーボ回路
１０  フォーカスサーボ回路
１１  ＲＦ増幅回路
１２  同期検出／ＡＤ変換回路
１３  復調／誤り訂正回路
１４  デコーダ
１５  エンコーダ／ＤＡ変換回路
１６  ＯＳＤ回路
１７  ＡＤ変換回路
１８  マイコン
１９  ＲＯＭ
２０  ＲＡＭ
２１  リモコン受信部
３０  リモコン装置
４０  モニタ装置
【図１】
2006114129.tif 000003
【図２】
2006114129.tif 000004
【図３】
2006114129.tif 000005